(57)【要約】【課題】１つの電池モジュールから排出されたガスによって他の電池モジュールが受ける影響を低減する技術を提供する。【解決手段】複数の第１排気口１２１０の位置と複数の第２排気口１２２０の位置とが異なり、複数の第３排気口１２３０の位置と複数の第４排気口１２４０の位置とが異なる。複数の第１排気口１２１０の位置と複数の第３排気口１２３０の位置とが共通であり、複数の第２排気口１２２０の位置と複数の第４排気口１２４０の位置とが共通である。第２面１１２０と第３面１１３０とを対向させて、第１蓄電池モジュール１０００ａと第２蓄電池モジュール１０００ｂとが並べられる。【選択図】図８
2020155226.tif 000002
【特許請求の範囲】
【請求項１】
互いに反対を向いた第１面と第２面とを有する第１蓄電池モジュールと、
互いに反対を向いた第３面と第４面とを有する第２蓄電池モジュールとを備え、
前記第１面と前記第２面とに平行な投影面上において、前記第１面に配置される複数の第１排気口の位置と、前記第２面に配置される複数の第２排気口の位置とが異なり、
前記第３面と前記第４面とに平行な投影面上において、前記第３面に配置される複数の第３排気口の位置と、前記第４面に配置される複数の第４排気口の位置とが異なり、
前記第１面と前記第３面とを対応させる場合に、前記複数の第１排気口の位置と前記複数の第３排気口の位置とが共通であり、
前記第２面と前記第４面とを対応させる場合に、前記複数の第２排気口の位置と、前記複数の第４排気口の位置とが共通であり、
前記第２面と前記第３面とを対向させて、前記第１蓄電池モジュールと前記第２蓄電池モジュールとが並べられる、
組電池。
【請求項２】
互いに反対を向いた第１面と第２面とを有する第１蓄電池モジュールと、
互いに反対を向いた第３面と第４面とを有する第２蓄電池モジュールとを備え、
前記第１面と前記第２面とに平行な投影面上において、前記第１面に配置される複数の第１排気口の位置と、前記第２面に配置される複数の第２排気口の位置とが異なり、
前記第３面と前記第４面とに平行な投影面上において、前記第３面に配置される複数の第３排気口の位置と、前記第４面に配置される複数の第４排気口の位置とが異なり、
前記第１面と前記第３面とを対応させる場合に、前記複数の第１排気口の位置と前記複数の第３排気口の位置とが共通であり、
前記第２面と前記第４面とを対応させる場合に、前記複数の第２排気口の位置と、前記複数の第４排気口の位置とが共通であり、
前記第２面と前記第４面とを対向させ、かつ前記第２面と前記第４面とに平行な投影面上において、前記第１蓄電池モジュールの向きと前記第２蓄電池モジュールの向きとを変えて、前記第１蓄電池モジュールと前記第２蓄電池モジュールとが並べられる、
組電池。
【請求項３】
前記複数の第１排気口は前記第１面の下側部分に配置され、
前記複数の第２排気口は前記第２面の下側部分に配置され、
前記複数の第３排気口は前記第３面の下側部分に配置され、
前記複数の第４排気口は前記第４面の下側部分に配置される、
請求項１または２に記載の組電池。
【請求項４】
前記複数の第１排気口は前記第１面の上側部分と下側部分に配置され、
前記複数の第２排気口は前記第２面の上側部分と下側部分に配置され、
前記複数の第３排気口は前記第３面の上側部分と下側部分に配置され、
前記複数の第４排気口は前記第４面の上側部分と下側部分に配置される、
請求項１または２に記載の組電池。
【発明の詳細な説明】
【技術分野】
【０００１】
本開示は、組電池に関し、特に複数の蓄電池セルを収納する蓄電池モジュールを複数含む組電池に関する。
【背景技術】
【０００２】
電池モジュールを複数組み合わせた組電池の一例では、複数の電池モジュールが上下方向に積層されている。下部側に配置された電池モジュールにおけるケース内の電池に異常が発生して電池からガスが放出された場合、ガスの熱によって、上部側に位置する電池モジュールの電池が影響を受ける。そのため、下部側の電池モジュールの側面から離れながら上部に向かう連通部が配置される（例えば、特許文献１参照）。
【先行技術文献】
【特許文献】
【０００３】
【特許文献１】国際公開第１５／０５３１１９号
【発明の概要】
【発明が解決しようとする課題】
【０００４】
組電池では、複数の電池モジュールが横方向に並べられることがある。このような構造において、１つの電池モジュールにおけるケース内の電池に異常が発生して電池からガスが放出された場合、ガスの熱によって、隣接した電池モジュールの電池に与える影響を低減することが求められる。
【０００５】
本開示はこうした状況に鑑みなされたものであり、その目的は、１つの電池モジュールから排出されたガスによって他の電池モジュールが受ける影響を低減する技術を提供することにある。
【課題を解決するための手段】
【０００６】
上記課題を解決するために、本開示のある態様の組電池は、互いに反対を向いた第１面と第２面とを有する第１蓄電池モジュールと、互いに反対を向いた第３面と第４面とを有する第２蓄電池モジュールとを備える。第１面と第２面とに平行な投影面上において、第１面に配置される複数の第１排気口の位置と、第２面に配置される複数の第２排気口の位置とが異なり、第３面と第４面とに平行な投影面上において、第３面に配置される複数の第３排気口の位置と、第４面に配置される複数の第４排気口の位置とが異なり、第１面と第３面とを対応させる場合に、複数の第１排気口の位置と複数の第３排気口の位置とが共通であり、第２面と第４面とを対応させる場合に、複数の第２排気口の位置と、複数の第４排気口の位置とが共通であり、第２面と第３面とを対向させて、第１蓄電池モジュールと第２蓄電池モジュールとが並べられる。
【０００７】
本開示の別の態様もまた、組電池である。この組電池は、互いに反対を向いた第１面と第２面とを有する第１蓄電池モジュールと、互いに反対を向いた第３面と第４面とを有する第２蓄電池モジュールとを備える。第１面と第２面とに平行な投影面上において、第１面に配置される複数の第１排気口の位置と、第２面に配置される複数の第２排気口の位置とが異なり、第３面と第４面とに平行な投影面上において、第３面に配置される複数の第３排気口の位置と、第４面に配置される複数の第４排気口の位置とが異なり、第１面と第３面とを対応させる場合に、複数の第１排気口の位置と複数の第３排気口の位置とが共通であり、第２面と第４面とを対応させる場合に、複数の第２排気口の位置と、複数の第４排気口の位置とが共通であり、第２面と第４面とを対向させ、かつ第２面と第４面とに平行な投影面上において、第１蓄電池モジュールの向きと第２蓄電池モジュールの向きとを変えて、第１蓄電池モジュールと第２蓄電池モジュールとが並べられる。
【発明の効果】
【０００８】
本開示によれば、１つの電池モジュールから排出されたガスによって他の電池モジュールが受ける影響を低減できる。
【図面の簡単な説明】
【０００９】
【図１】実施例１に係る蓄電池モジュールの構造を示す斜視図である。
【図２】図１の蓄電池モジュールの構造を示す分解斜視図である。
【図３】図１の蓄電池モジュールの構造を示す別の分解斜視図である。
【図４】図１の蓄電池モジュールの構造を示す断面図である。
【図５】図１の蓄電池モジュールの構造を示す別の断面図である。
【図６】図６（ａ）−（ｂ）は、図１の蓄電池モジュールにおけるガスの排出の概要を示す図である。
【図７】図７（ａ）−（ｃ）は、実施例１に係る蓄電池モジュールの構造の概要を示す図である。
【図８】図８（ａ）−（ｃ）は、実施例１に係る組電池の構造を示す図である。
【図９】図９（ａ）−（ｄ）は、実施例１に係る組電池の別の構造を示す図である。
【図１０】図１０（ａ）−（ｃ）は、実施例２に係る蓄電池モジュールの構造の概要を示す図である。
【図１１】図１１（ａ）−（ｃ）は、実施例２に係る組電池の構造を示す図である。
【図１２】図１２（ａ）−（ｆ）は、実施例２に係る組電池の別の構造を示す図である。
【発明を実施するための形態】
【００１０】
（実施例１）
本開示の実施例を具体的に説明する前に、実施例の概要を説明する。本実施例は、複数の蓄電池セルが収納される蓄電池モジュールが複数含まれる組電池に関する。蓄電池モジュールにおいて、各蓄電池セルは、正極と負極とが互いに反対を向いた構造を有し、例えば、正極が同一方向を向くように並べられる。蓄電池セルがリチウムイオン二次電池である場合、内部短絡等が発生すると蓄電池セル内にガスが発生する。また、ガスの発生により、蓄電池セル内の圧力が増加するが、安全機構によりガスが正極側から蓄電池セル外に放出される。このようなガスは高温高圧であり、ガスによる燃焼が生じると、蓄電池モジュール内の他の蓄電池セルも熱暴走（類焼）する。この類焼により、蓄電池モジュール全体、または製品全体が燃えてしまうおそれがある。ガスによる類焼を抑制するために、蓄電池の構造体と複数の蓄電池セルの正極側の面との間には空間が設けられ、空間は排気口に接続される。蓄電池セルからの高温ガスは空間に放出され、排気口から蓄電池モジュール外に放出される。
【００１１】
このような状況下において、空間が複数に分割された構造を有する場合、ガスは１つの排気口から排出されにくくなる。そのため、ガスによる類焼が生じやすくなる。一方、１つの空間に複数の排気口が接続される場合、ガスは排出されやすくなる。しかしながら、１つの空間に複数の排気口が接続されると、蓄電池モジュール外から空間に空気が流入しやすくなり、ガスによる高温燃焼が生じやすくなる。そのため、ガスによる高温燃焼を抑制するような構造体内の空間と排気口との関係が求められる。本実施例に係る蓄電池モジュールは、１つの空間に１つの排気口を接続する。そのため、構造体内に１つの空間が形成される場合、構造体に１つの排気口が設けられる。また、構造体内に複数の空間が形成される場合、構造体に複数の排気口が設けられる。ここで、一般的に不完全燃焼温度＜完全燃焼温度の関係であり、金属を溶かず「ふいご」の様に空気（酸素）を多く送り込むと燃焼温度はさらに高温になる。ろうそくの芯の部分は不完全燃焼で約６００℃、炎の先端は約１０００℃を超える温度として知られている。
【００１２】
このような蓄電池モジュールが横方向に並べられ、かつ電気的に接続されることによって組電池が形成される。１つの蓄電池モジュールの排気口から排出されたガスが、近傍に設置された別の蓄電池モジュールの排気口から当該別の蓄電池モジュールの内部に流入すると、内部の蓄電池セルがあぶられることによって、当該別の蓄電池モジュールが熱暴走するおそれがある。そのため、１つの蓄電池モジュールから排出されるガスが、隣接の別の蓄電池モジュールに直接流入することを抑制することが求められる。本実施例に係る組電池では、隣接した２つの蓄電池モジュールのそれぞれの排気口が、上下左右で互い違いになる位置に設けられる。このような構造によって、１つの蓄電池モジュールから排出されるガスが、隣接の別の蓄電池モジュールに直接流入しにくくなる。また、ガスが、隣接の別の蓄電池モジュールに流入する場合であっても、一定距離の移動によってガスが冷やされているので、類焼発生の危険性が低減される。以下の説明において、「平行」、「垂直」は、完全な平行、垂直だけではなく、誤差の範囲で平行、垂直からずれている場合も含む。また、「略」は、おおよその範囲で同一であるという意味である。
【００１３】
ここでは、（１）組電池３０００に含まれる蓄電池モジュール１０００の構造を説明してから、（２）組電池３０００の構造を説明する。
（１）組電池３０００に含まれる蓄電池モジュール１０００の構造
図１は、蓄電池モジュール１０００の構造を示す斜視図である。図１に示すように、ｘ軸、ｙ軸、ｚ軸を含む直交座標系が規定される。ｘ軸、ｙ軸は、蓄電池モジュール１０００の底面内において互いに直交する。ｚ軸は、ｘ軸およびｙ軸に垂直であり、蓄電池モジュール１０００の高さ（垂直）方向に延びる。また、ｘ軸、ｙ軸、ｚ軸のそれぞれの正の方向は、図１における矢印の方向に規定され、負の方向は、矢印と逆向きの方向に規定される。また、ｘ軸の正方向側を「前側」あるいは「正面側」、ｘ軸の負方向側を「後側」あるいは「背面側」、ｚ軸の正方向側を「上側」あるいは「天面側」、ｚ軸の負方向側を「下側」あるいは「底面側」ということもある。さらに、ｙ軸方向の正方向側を「右側」、ｙ軸の負方向側を「左側」ということもある。
【００１４】
構造体１００は、前側筐体１１０、後側筐体１３０、右側蓋３５２を含む。前側筐体１１０は、前面１１２、前側下面１１４、前側上面１１６、前側排気口１１８と総称される第１前側排気口１１８ａから第４前側排気口１１８ｄ、左側面１５０を含む。後側筐体１３０は、後面１３２、後側下面１３４、後側上面１３６、右側面１５２を含む。前側筐体１１０、後側筐体１３０の各構成要素は、ネジ、溶接、接着材等で接続されているが、公知の技術が使用されればよいので、ここでは説明を省略する。
【００１５】
前側筐体１１０の前面１１２は、ｙ−ｚ平面上に広がる矩形の板形状を有する。前面１１２の下側端から後側に向かって前側下面１１４が延び、前面１１２の上側端から後側に向かって前側上面１１６が延び、前面１１２の左側端から後側に向かって左側面１５０が延びる。前側下面１１４と前側上面１１６と左側面１５０は、いずれも板形状を有する。板形状は矩形状であってもよい。また、後側筐体１３０の後面１３２は、ｙ−ｚ平面上に広がる矩形の板形状を有する。後面１３２の下側端から前側に向かって後側下面１３４が延び、後面１３２の上側端から前側に向かって後側上面１３６が延び、後面１３２の右側端から前側に向かって右側面１５２が延びる。後側下面１３４と後側上面１３６と右側面１５２は、いずれも板形状を有する。板形状は矩形状であってもよい。
【００１６】
前側下面１１４の後側端と、後側下面１３４の前側端とが接続されることによって、前側下面１１４と後側下面１３４は、１つの下面を形成する。また、前側上面１１６の後側端と、後側上面１３６の前側端とが接続されることによって、前側上面１１６と後側上面１３６は、１つの上面を形成する。下面と上面は、前面１１２と後面１３２とに交差する。このように前側筐体１１０と後側筐体１３０とが接続されることによって、構造体１００は箱形状を有する。その際、構造体１００の右側は、右側面１５２、右側蓋３５２でふさがれ、構造体１００の左側は、左側面１５０、左側蓋（図示せず）でふさがれる。以下では、前面１１２を第１面と呼び、後面１３２を第２面と呼び、下面を第３面と呼び、上面を第４面と呼んでもよい。ここで、前側筐体１１０と後側筐体１３０は、熱伝導性の高い材料、例えば、金属、カーボンにより形成される。そのため、前面１１２、前側下面１１４、前側上面１１６、後面１３２、後側下面１３４、後側上面１３６は、例えば、金属板である。
【００１７】
以下では、図２から図５を使用しながら、このような蓄電池モジュール１０００の構造をさらに説明する。図２は、蓄電池モジュール１０００の構造を示す分解斜視図である。図３は、蓄電池モジュール１０００の構造を示す別の分解斜視図であり、図２をさらに分解した構造を示す。図４は、蓄電池モジュール１０００の構造を示す断面図であり、図１のＡ−Ａ’線の断面図である。図５は、蓄電池モジュール１０００の構造を示す別の断面図であり、図１のＢ−Ｂ’線の断面図である。
【００１８】
前側筐体１１０と後側筐体１３０との間には、前側ケース２４０と後側ケース２５０との組合せが収納される。前側ケース２４０と後側ケース２５０との組合せは中空の箱形状を有しており、絶縁性を有する材料、例えば樹脂により形成される。この組合せでは、前側ケース２４０の後側端と後側ケース２５０の前側端が接続されており、前側ケース２４０は前側筐体１１０に対向し、後側ケース２５０は後側筐体１３０に対向する。前側ケース２４０と後側ケース２５０との組合せの内部には、蓄電池集合体２００と総称される第１蓄電池集合体２００ａから第７蓄電池集合体２００ｇ、電池ホルダ２３０が収納される。特に、左側から右側に向かって、第１蓄電池集合体２００ａ、第２蓄電池集合体２００ｂ、・・・、第６蓄電池集合体２００ｆ、第７蓄電池集合体２００ｇが順に並べられる。そのため、下面と上面は、蓄電池集合体２００を挟んで互いに対向するといえる。各蓄電池集合体２００には、複数の蓄電池セル２１０が配置される。
【００１９】
蓄電池セル２１０は、例えば、円柱形のリチウムイオン二次電池である。蓄電池セル２１０における円柱形の両端には、互いに反対を向いた正極２１２と負極２１４とが配置される。蓄電池セル２１０には公知の技術が使用されればよく、内部短絡等の発生により内部の圧力が上昇した場合、高温高圧ガスを外部に放出する安全機構が備えられる。一般的に、高温高圧ガスは正極２１２側から放出される。
【００２０】
ここで、第１蓄電池集合体２００ａ、第３蓄電池集合体２００ｃ、第５蓄電池集合体２００ｅ、第７蓄電池集合体２００ｇのそれぞれに含まれた複数の蓄電池セル２１０は、正極２１２を前側に向け、負極２１４を後側に向ける。また、第２蓄電池集合体２００ｂ、第４蓄電池集合体２００ｄ、第６蓄電池集合体２００ｆのそれぞれに含まれた複数の蓄電池セル２１０は、正極２１２を後側に向け、負極２１４を前側に向ける。つまり、１つの蓄電池集合体２００内では正極２１２の方向が同一であるが、隣接した２つの蓄電池集合体２００の間では正極２１２の方向が逆になる。前面１１２に対向する前側の電極を「第１の電極」と呼び、後面１３２に対向する後側の電極を「第２の電極」と呼ぶ場合、第１蓄電池集合体２００ａ等では、第１の電極が正極２１２であり、第２の電極が負極２１４である。また、第２蓄電池集合体２００ｂ等では、第１の電極が負極２１４であり、第２の電極が正極２１２である。
【００２１】
電池ホルダ２３０は、複数の蓄電池セル２１０のそれぞれを挿入可能な貫通孔を備えることによって、複数の蓄電池セル２１０のそれぞれの位置を固定する。電池ホルダ２３０は、絶縁性を有する材料、例えば樹脂により形成される。電池ホルダ２３０によって固定された複数の蓄電池セル２１０の前側には前側ケース２４０が取り付けられ、電池ホルダ２３０によって固定された複数の蓄電池セル２１０の後側には後側ケース２５０が取り付けられる。
【００２２】
前側ケース２４０は、ｙ−ｚ平面に広がる板形状の前側ケース板部２４４を有し、前側ケース板部２４４には、各蓄電池セル２１０の正極２１２に対向した位置に貫通孔が設けられる。また、前側ケース板部２４４の前側の面において、第２蓄電池集合体２００ｂと第３蓄電池集合体２００ｃとの境界の位置には、第１前側隔壁２４２ａが設けられる。また、第４蓄電池集合体２００ｄと第５蓄電池集合体２００ｅとの境界の位置には、第２前側隔壁２４２ｂが設けられ、第６蓄電池集合体２００ｆと第７蓄電池集合体２００ｇとの境界の位置には、第３前側隔壁２４２ｃが設けられる。第１前側隔壁２４２ａから第３前側隔壁２４２ｃは前側隔壁２４２と総称され、前側隔壁２４２は、前側に向かって突出するとともに上下方向に延びる。
【００２３】
第１前側隔壁２４２ａから第３前側隔壁２４２ｃによって、前側ケース板部２４４の前側の面は、第１前側凹部２４６ａから第４前側凹部２４６ｄに区分される。例えば、第２前側凹部２４６ｂは、第１前側隔壁２４２ａと第２前側隔壁２４２ｂとに挟まれた部分、つまり第３蓄電池集合体２００ｃと第４蓄電池集合体２００ｄに対向した位置に配置される。第１前側凹部２４６ａ、第３前側凹部２４６ｃも第２前側凹部２４６ｂと同様である。一方、第４前側凹部２４６ｄは、第７蓄電池集合体２００ｇだけに対向した位置に配置されるので、第１前側凹部２４６ａから第３前側凹部２４６ｃよりも狭い。このような第１前側凹部２４６ａから第４前側凹部２４６ｄは前側凹部２４６と総称される。
【００２４】
図２、図３に示されるように、第１前側凹部２４６ａには第１前側リード板３００ａが嵌め込まれ、第２前側凹部２４６ｂには第２前側リード板３００ｂが嵌め込まれる。また、第３前側凹部２４６ｃには第３前側リード板３００ｃが嵌め込まれ、第４前側凹部２４６ｄには第４前側リード板３００ｄが嵌め込まれる。第１前側リード板３００ａから第４前側リード板３００ｄは前側リード板３００と総称され、前側リード板３００は板形状を有する。第１前側リード板３００ａは、第１蓄電池集合体２００ａの複数の蓄電池セル２１０の正極２１２と、第２蓄電池集合体２００ｂの複数の蓄電池セル２１０の負極２１４とに接続される。第１前側リード板３００ａには、１つの正極２１２と１つの負極２１４とを電気的に接続する配線パターンが設けられているので、第１蓄電池集合体２００ａの１つの蓄電池セル２１０と、第２蓄電池集合体２００ｂの１つの蓄電池セル２１０は、直列に接続される。ここで、第１前側リード板３００ａにおいて正極２１２と接続される部分には貫通孔が設けられる。第２前側リード板３００ｂ、第３前側リード板３００ｃも第１前側リード板３００ａと同様である。一方、第４前側リード板３００ｄは、第７蓄電池集合体２００ｇの複数の蓄電池セル２１０の正極２１２だけに接続される。そのため、第４前側リード板３００ｄは、第１前側リード板３００ａから第３前側リード板３００ｃよりも小さい。
【００２５】
後側ケース２５０は、ｙ−ｚ平面に広がる板形状の後側ケース板部２５４を有し、後側ケース板部２５４には、各蓄電池セル２１０の正極２１２に対向した位置に貫通孔が設けられる。また、図５に示されるように、後側ケース板部２５４の後側の面において、第１蓄電池集合体２００ａと第２蓄電池集合体２００ｂとの境界の位置には、第１後側隔壁２５２ａが設けられる。また、第３蓄電池集合体２００ｃと第４蓄電池集合体２００ｄとの境界の位置には、第２後側隔壁２５２ｂが設けられ、第５蓄電池集合体２００ｅと第６蓄電池集合体２００ｆとの境界の位置には、第３後側隔壁２５２ｃが設けられる。第１後側隔壁２５２ａから第３後側隔壁２５２ｃは後側隔壁２５２と総称され、後側隔壁２５２は、後側に向かって突出するとともに上下方向に延びる。
【００２６】
第１後側隔壁２５２ａから第３後側隔壁２５２ｃによって、後側ケース板部２５４の後側の面は、第１後側凹部２５６ａから第４後側凹部２５６ｄに区分される。例えば、第２後側凹部２５６ｂは、第１後側隔壁２５２ａと第２後側隔壁２５２ｂとに挟まれた部分、つまり第２蓄電池集合体２００ｂと第３蓄電池集合体２００ｃに対向した位置に配置される。第３後側凹部２５６ｃ、第４後側凹部２５６ｄも第２後側凹部２５６ｂと同様である。一方、第１後側凹部２５６ａは、第１蓄電池集合体２００ａだけに対向した位置に配置されるので、第２後側凹部２５６ｂから第４後側凹部２５６ｄよりも狭い。このような第１後側凹部２５６ａから第４後側凹部２５６ｄは後側凹部２５６と総称される。
【００２７】
第１後側凹部２５６ａには第１後側リード板３０２ａが嵌め込まれ、第２後側凹部２５６ｂには第２後側リード板３０２ｂが嵌め込まれる。また、第３後側凹部２５６ｃには第３後側リード板３０２ｃが嵌め込まれ、第４後側凹部２５６ｄには第４後側リード板３０２ｄが嵌め込まれる。第１後側リード板３０２ａから第４後側リード板３０２ｄは後側リード板３０２と総称され、後側リード板３０２は板形状を有する。第２後側リード板３０２ｂは、第２蓄電池集合体２００ｂの複数の蓄電池セル２１０の正極２１２と、第３蓄電池集合体２００ｃの複数の蓄電池セル２１０の負極２１４とに接続される。第２後側リード板３０２ｂには、１つの正極２１２と１つの負極２１４とを電気的に接続する配線パターンが設けられているので、第２蓄電池集合体２００ｂの１つの蓄電池セル２１０と、第３蓄電池集合体２００ｃの１つの蓄電池セル２１０は、直列に接続される。ここで、第２後側リード板３０２ｂにおいて正極２１２と接続される部分には貫通孔が設けられる。第３後側リード板３０２ｃ、第４後側リード板３０２ｄも第２後側リード板３０２ｂと同様である。一方、第１後側リード板３０２ａは、第１蓄電池集合体２００ａの複数の蓄電池セル２１０の負極２１４だけに接続される。そのため、第１後側リード板３０２ａは、第２後側リード板３０２ｂから第４後側リード板３０２ｄよりも小さい。このような前側リード板３００と後側リード板３０２によって、第１蓄電池集合体２００ａから第７蓄電池集合体２００ｇのそれぞれに含まれる１つの蓄電池セル２１０は、直列に接続される。
【００２８】
図２、３に示されるように、蓄電池集合体２００を収納しながら組み合わされた前側ケース２４０と後側ケース２５０の上側には、制御基板トレイ３３０が取り付けられる。制御基板トレイ３３０は、左右方向に延びる板形状のトレイである。制御基板トレイ３３０の上には、制御基板３３２が配置される。制御基板３３２は、ＩＣ（Ｉｎｔｅｇｒａｔｅｄ  Ｃｉｒｃｕｉｔ）等を搭載しており、蓄電池モジュール１０００の動作を制御する。制御基板３３２は、制御基板トレイ３３０と同様に左右方向に延びる板形状を有するが、制御基板トレイ３３０よりも小さい。制御基板３３２が配置された制御基板トレイ３３０の上側を覆うように、制御基板蓋３３４が取り付けられる。制御基板蓋３３４は、制御基板３３２を保護するための蓋であり、制御基板トレイ３３０に合わせた形状を有する。
【００２９】
図５に示されるように、蓄電池集合体２００を収納しながら組み合わされた前側ケース２４０と後側ケース２５０の左側には左側蓋３５０が取り付けられ、右側には右側蓋３５２が取り付けられる。左側蓋３５０と右側蓋３５２は、上下方向に延びる板形状を有し、前側ケース２４０と後側ケース２５０の組合せを側面から保護する。制御基板トレイ３３０、制御基板蓋３３４、左側蓋３５０、右側蓋３５２は、絶縁性を有する材料、例えば樹脂により形成される。
【００３０】
図２に示されるように、制御基板トレイ３３０から制御基板蓋３３４、左側蓋３５０、右側蓋３５２が取り付けられた前側ケース２４０と後側ケース２５０との組合せは、前述のごとく、前側筐体１１０と後側筐体１３０との間に配置される。これにより、図４に示されるように、前面１１２と前側下面１１４と前側上面１１６と前側リード板３００（第３前側リード板３００ｃ）に囲まれる前空間４００（第３前空間４００ｃ）が形成される。ここで、第３前側リード板３００ｃは、第５蓄電池集合体２００ｅと第６蓄電池集合体２００ｆにおける複数の第１の電極側の面に相当する。第３前空間４００ｃのうち、第５蓄電池集合体２００ｅと第６蓄電池集合体２００ｆにおける下面側端の蓄電池セル２１０よりも下面側に位置する前面１１２の部分、あるいは前側下面１１４には、第３前側排気口１１８ｃが設けられる。第３前側排気口１１８ｃは、前面１１２の部分あるいは前側下面１１４に形成された貫通孔であり、これは開口であるともいえる。
【００３１】
また、後面１３２と後側下面１３４と後側上面１３６と後側リード板３０２（第３後側リード板３０２ｃ）に囲まれる後空間４１０（第３後空間４１０ｃ）が形成される。ここで、第３後側リード板３０２ｃは、第４蓄電池集合体２００ｄと第５蓄電池集合体２００ｅにおける複数の第２の電極側の面に相当する。第３後空間４１０ｃのうち、第４蓄電池集合体２００ｄと第５蓄電池集合体２００ｅにおける下面側端の蓄電池セル２１０よりも下面側に位置する後面１３２の部分、あるいは後側下面１３４には、第２後側排気口１３８ｂ（図２）が設けられる。第２後側排気口１３８ｂは、後面１３２の部分あるいは後側下面１３４に形成された貫通孔である。
【００３２】
前空間４００と後空間４１０について、図５を使用してさらに詳細に説明すると、前空間４００は、第１前側隔壁２４２ａから第３前側隔壁２４２ｃによって、第１前空間４００ａから第４前空間４００ｄに分割される。そのため、前側隔壁２４２は、隣接した前空間４００を仕切るともいえる。第１前空間４００ａから第４前空間４００ｄは左右方向に並んで配置される。特に、第１前空間４００ａから第３前空間４００ｃは２つの蓄電池集合体２００に対向して配置されるが、第４前空間４００ｄは１つの蓄電池集合体２００だけに対応して配置される。そのため、第４前空間４００ｄの容積は、第１前空間４００ａから第３前空間４００ｃのそれぞれの容積よりも小さい。また、各前空間４００の下側の部分には１つの前側排気口１１８が設けられる。そのため、１つの前空間４００は１つの前側排気口１１８を有する。
【００３３】
また、後空間４１０は、第１後側隔壁２５２ａから第３後側隔壁２５２ｃによって、第１後空間４１０ａから第４後空間４１０ｄに分割される。そのため、後側隔壁２５２は、隣接した後空間４１０を仕切るともいえる。第１後空間４１０ａから第４後空間４１０ｄは左右方向に並んで配置される。特に、第２後空間４１０ｂから第４後空間４１０ｄは２つの蓄電池集合体２００に対向して配置されるが、第１後空間４１０ａは１つの蓄電池集合体２００だけに対応して配置される。そのため、第１後空間４１０ａの容積は、第２後空間４１０ｂから第４後空間４１０ｄのそれぞれの容積よりも小さい。また、第２後空間４１０ｂから第４後空間４１０ｄのそれぞれの下側の部分には１つの後側排気口１３８が設けられる。
【００３４】
図６（ａ）−（ｂ）は、蓄電池モジュール１０００におけるガスの排出の概要を示す。図６（ａ）は、蓄電池モジュール１０００の構造を簡略に示す断面図であり、かつ図４と同一方向の断面図である。ここでは、一例として、第１蓄電池セル２１０ａから第８蓄電池セル２１０ｈが下側から上側に向かって並べられる。前述のごとく、これらの蓄電池セル２１０の前側に前空間４００が配置され、前空間４００に接する前側下面１１４に前側排気口１１８が設けられる。
【００３５】
第３蓄電池セル２１０ｃにおいて内部短絡等により熱暴走が発生すると、第３蓄電池セル２１０ｃは高温高圧のガス５００を正極２１２側から前側ケース２４０、前側リード板３００経由で前空間４００に放出する。前空間４００に放出されたガス５００は、前面１１２に接触する。前面１１２は、金属板であるので、接触したガス５００から熱を吸収し、蓄電池モジュール１０００の外部に熱を放出する。このようにガス５００は、前面１１２との接触によって熱を奪われ冷やされる。また、冷やされたガス５００は前空間４００内で拡散されるので、ガス５００の圧力は低下する。さらに、温度と圧力が低下したガス５００は、前空間４００の下側に設けられた前側排気口１１８から蓄電池モジュール１０００の外部に放出される。
【００３６】
このようなガス５００の流れによって、第３蓄電池セル２１０ｃからガス５００が放出される際に火花が生じても、冷却・拡散・放出がなされるので、高温燃焼は生じにくくなる。ここで、第４前空間４００ｄの容積は、第１前空間４００ａから第３前空間４００ｃのそれぞれの容積よりも小さい。そのため、蓄電池セル２１０から放出されたガス５００によって、第４前空間４００ｄでの圧力は、それ以外の圧力よりも高くなりやすい。これにより、第４前空間４００ｄを形成している第３前側隔壁２４２ｃは、他の前側隔壁２４２よりも破損されやすくなる。本実施例では、第３前側隔壁２４２ｃの破損を防止するために、第４前空間４００ｄに設けられる第４前側排気口１１８ｄの大きさが、他の前側排気口１１８よりも大きくされる。これにより、第４前空間４００ｄにおける圧力の増加が抑制される。つまり、前空間４００の大きさが小さくなるほど、前側排気口１１８の面積が大きくされる。
【００３７】
仮に、前側排気口１１８が、前側上面１１６に設けられている場合、完全密封でない前空間４００の下部から空気が流入する可能性がある。流入した空気は前側排気口１１８から排出されるので、前空間４００内に下側から上側に向かう空気の流れが生じる。このような空気の流れにより、火花に空気が供給されるので、高温燃焼が生じやすくなる。後空間４１０においても、前空間４００と同様に、ガス５００の冷却・拡散・放出がなされる。
【００３８】
図６（ｂ）は、図６（ａ）の蓄電池モジュール１０００の比較対象となる蓄電池モジュール２０００の構造を簡略に示す断面図であり、かつ図６（ａ）と同一方向の断面図である。前面２１１２から前側上面２１１６、後面２１３２から後側上面２１３６、蓄電池集合体２２００から負極２２１４、前側ケース２２４０、後側ケース２２５０、前側リード板２３００、後側リード板２３０２、前空間２４００、後空間２４１０は、図６（ａ）の前面１１２から前側上面１１６、後面１３２から後側上面１３６、蓄電池集合体２００から負極２１４、前側ケース２４０、後側ケース２５０、前側リード板３００、後側リード板３０２、前空間４００、後空間４１０と同一である。ここでは、前空間４００に接する前面２１１２のうち、第１蓄電池セル２２１０ａの正極２２１２に対向する部分に、前側排気口２１１８が設けられる。
【００３９】
第１蓄電池セル２２１０ａにおいて内部短絡等により熱暴走が発生すると、第１蓄電池セル２２１０ａは高温高圧のガス２５００を正極２２１２側から前側ケース２２４０、前側リード板２３００経由で前空間２４００に放出する。前空間２４００に放出されたガス２５００は、前側排気口２１１８から蓄電池モジュール２０００の外部に放出される。つまり、ガス２５００には、前面２１１２との接触による冷却がなされない。その際、火花が生じていれば、火花に空気が供給されるので、高温燃焼が生じやすくなる。
【００４０】
組電池３０００の構造の説明を明瞭にするために、これまで説明した蓄電池モジュール１０００の構造を図７（ａ）−（ｃ）のようにまとめる。図７（ａ）−（ｃ）は、蓄電池モジュール１０００の構造の概要を示す。図７（ａ）は、蓄電池モジュール１０００の前側からの概要を示し、図７（ｂ）は、蓄電池モジュール１０００の右側からの概要を示し、図７（ｃ）は、蓄電池モジュール１０００の後側からの概要を示す。第１蓄電池集合体２００ａから第７蓄電池集合体２００ｇは左右方向に並べられる。第１蓄電池集合体２００ａでは、正極２１２が前側を向き、負極２１４が後側を向く。第２蓄電池集合体２００ｂでは、負極２１４が前側を向き、正極２１２が後側を向く。また、正極２１２の下側には前側排気口１１８あるいは後側排気口１３８が配置される。そのため、第１蓄電池集合体２００ａ、第３蓄電池集合体２００ｃ、第５蓄電池集合体２００ｅ、第７蓄電池集合体２００ｇの下側には、前側排気口１１８が配置される。第２蓄電池集合体２００ｂ、第４蓄電池集合体２００ｄ、第６蓄電池集合体２００ｆの下側には後側排気口１３８が配置される。さらに、蓄電池モジュール１０００の右側の端には、正極端子が設けられ、蓄電池モジュール１０００の左側の端には負極端子が設けられる。
【００４１】
（２）組電池３０００の構造
図８（ａ）−（ｃ）は、組電池３０００の構造を示す。図８（ａ）は、組電池３０００の構造を示す斜視図である。図８（ｂ）は、組電池３０００の上面図であるが、組電池３０００の下側部分の構造を中心に示す。組電池３０００は、第１蓄電池モジュール１０００ａ、第２蓄電池モジュール１０００ｂを含む。第１蓄電池モジュール１０００ａ、第２蓄電池モジュール１０００ｂは、前述の蓄電池モジュール１０００と同様の構造を有する。
【００４２】
第１蓄電池モジュール１０００ａは、互いに反対を向いた第１面１１１０と第２面１１２０とを有するとともに、第１面１１１０と第２面１１２０とに挟まれた上面１１５０と下面１１６０とを有する。第１面１１１０は図１の前面１１２に対応し、第２面１１２０は図１の後面１３２に対応し、上面１１５０は図１の前側上面１１６と後側上面１３６との組合せに対応し、下面１１６０は図１の前側下面１１４と後側下面１３４との組合せに対応する。また、第１面１１１０の下側部分には複数の第１排気口１２１０が配置され、第２面１１２０の下側部分には複数の第２排気口１２２０が配置される。複数の第１排気口１２１０は図２の複数の前側排気口１１８に対応し、複数の第２排気口１２２０は図２の複数の後側排気口１３８に対応する。ここで、第１面１１１０と第２面１１２０とに平行な投影面上、つまりｙ−ｚ平面上において、複数の第１排気口１２１０の位置と、複数の第２排気口１２２０の位置とは異なる。
【００４３】
第２蓄電池モジュール１０００ｂは、互いに反対を向いた第３面１１３０と第４面１１４０とを有するとともに、第３面１１３０と第４面１１４０とに挟まれた上面１１７０と下面１１８０とを有する。第３面１１３０は図１の前面１１２に対応し、第４面１１４０は図１の後面１３２に対応し、上面１１７０は図１の前側上面１１６と後側上面１３６との組合せに対応し、下面１１８０は図１の前側下面１１４と後側下面１３４との組合せに対応する。また、第３面１１３０の下側部分には複数の第３排気口１２３０が配置され、第４面１１４０の下側部分には複数の第４排気口１２４０が配置される。複数の第３排気口１２３０は図２の複数の前側排気口１１８に対応し、複数の第４排気口１２４０は図２の複数の後側排気口１３８に対応する。ここで、第３面１１３０と第４面１１４０とに平行な投影面上、つまりｙ−ｚ平面上において、複数の第３排気口１２３０の位置と、複数の第４排気口１２４０の位置とは異なる。
【００４４】
第１面１１１０と第３面１１３０とを対応させる場合に、複数の第１排気口１２１０の位置と複数の第３排気口１２３０の位置とが共通である。また、第２面１１２０と第４面１１４０とを対応させる場合に、複数の第２排気口１２２０の位置と、複数の第４排気口１２４０の位置とが共通である。ここでは、第２面１１２０と第３面１１３０とを対向させて、第１蓄電池モジュール１０００ａと第２蓄電池モジュール１０００ｂとが並べられる。このように並べられることによって、第１蓄電池モジュール１０００ａの正極端子１０５０と第２蓄電池モジュール１０００ｂの正極端子１０６０とが同一方向を向く。また、第１蓄電池モジュール１０００ａの負極端子１０５２と第２蓄電池モジュール１０００ｂの負極端子１０６２も同一方向を向く。ここで、正極端子１０５０と正極端子１０６０とを電気的に接続し、負極端子１０５２と負極端子１０６２とを電気的に接続することによって、第１蓄電池モジュール１０００ａと第２蓄電池モジュール１０００ｂとは並列に接続される。また、第２面１１２０における第２排気口１２２０と、第３面１１３０における第３排気口１２３０は対向せずに配置される。
【００４５】
図８（ｃ）は、図８（ｂ）における第２面１１２０と第３面１１３０の一部を拡大した図である。ここでは、第２蓄電池モジュール１０００ｂの内部の蓄電池セル２１０において熱暴走が発生し、第３排気口１２３０からガスが排出される場合を想定する。第３排気口１２３０から噴出されるガスは一般的に高温であるが、ガスは第２面１１２０にあたる。第２面１１２０にあたることによってガスが冷却されるとともに拡散される。拡散によってガスは第２面１１２０に沿って移動するが、移動によってさらに冷却される。そのため、ガスが第２排気口１２２０から第１蓄電池モジュール１０００ａに流入しても、類焼発生の危険性が低減される。
【００４６】
図９（ａ）−（ｄ）は、組電池３０００の別の構造を示す。図９（ａ）は、組電池３０００の構造を示す斜視図である。図９（ｂ）は、組電池３０００の上面図であるが、組電池３０００の下側部分の構造を中心に示す。組電池３０００に含まれる第１蓄電池モジュール１０００ａと第２蓄電池モジュール１０００ｂの構造は、図８（ａ）−（ｃ）と同一であるが、これらの配置が図８（ａ）−（ｃ）とは異なる。第１蓄電池モジュール１０００ａは、図８（ａ）と同様に配置されるが、第２蓄電池モジュール１０００ｂは、第４面１１４０を第２面１１２０に対向させ、かつ下面１１８０を上側に向け、かつ上面１１７０を下側に向けて配置される。このように第２蓄電池モジュール１０００ｂは、図８（ａ）での配置に対して、ｘ−ｙ平面内で反転させられるとともに、上下反転させられる。その結果、第１蓄電池モジュール１０００ａと第２蓄電池モジュール１０００ｂは、第２面１１２０と第４面１１４０とに平行な投影面上において、互いの向きを変えて並べられる。
【００４７】
このように並べられることによって、第１蓄電池モジュール１０００ａの正極端子１０５０と第２蓄電池モジュール１０００ｂの負極端子１０６２とが同一方向を向く。また、第１蓄電池モジュール１０００ａの負極端子１０５２と第２蓄電池モジュール１０００ｂの正極端子１０６０も同一方向を向く。ここで、負極端子１０５２と正極端子１０６０とを電気的に接続することによって、第１蓄電池モジュール１０００ａと第２蓄電池モジュール１０００ｂとは直列に接続される。
【００４８】
第１排気口１２１０と第２排気口１２２０は、第１蓄電池モジュール１０００ａの下側部分に配置されるが、第３排気口１２３０と第４排気口１２４０は、第２蓄電池モジュール１０００ｂの上側部分に配置される。そのため、第２排気口１２２０と第４排気口１２４０とが対向しなくなり、第４排気口１２４０から排出されたガスが第２排気口１２２０に直接流入されなくなる。さらに、第２排気口１２２０と第４排気口１２４０との距離が、図８（ａ）−（ｃ）における第２排気口１２２０と第３排気口１２３０との距離よりも長くなるので、ガスはさらに冷却される。
【００４９】
図９（ｃ）−（ｄ）は、図９（ａ）−（ｂ）の比較対象となる組電池４０００であり、図９（ａ）−（ｂ）と同様に示される。組電池４０００は、図９（ａ）−（ｂ）と同一の第１蓄電池モジュール１０００ａと第２蓄電池モジュール１０００ｂとを含むが、これらの配置が図９（ａ）−（ｂ）と異なる。第２蓄電池モジュール１０００ｂは、第４面１１４０を第２面１１２０に対向させ、かつ上面１１７０を上側に向け、かつ下面１１８０を下側に向けて配置される。このように第２蓄電池モジュール１０００ｂは、図８（ａ）での配置に対して、ｘ−ｙ平面内で反転させられるが、上下反転させられない。このように並べられることによって、第２排気口１２２０と第４排気口１２４０とが対向するので、第４排気口１２４０から排出されたガスが第２排気口１２２０に直接流入される。そのため、このような配置は好ましくない。
【００５０】
本実施例によれば、第２排気口１２２０の位置と第３排気口１２３０の位置とが異なる場合に、第２面１１２０と第３面１１３０とを対向させるので、第２蓄電池モジュール１０００ｂから排出されたガスによって第１蓄電池モジュール１０００ａが受ける影響を低減できる。また、第２排気口１２２０の位置と第４排気口１２４０の位置が共通であっても、第１蓄電池モジュール１０００ａの向きと第２蓄電池モジュール１０００ｂの向きとを変えるので、第２蓄電池モジュール１０００ｂから排出されたガスによって第１蓄電池モジュール１０００ａが受ける影響を低減できる。また、第１排気口１２１０から第４排気口１２４０は各面の下側部分に配置されるので、構造を簡易にできる。
【００５１】
また、構造体１００の内部に形成された１つの空間は１つの排気口を有するので、蓄電池セル２１０から放出したガス５００を排気口から外部に放出できる。また、１つの空間内のガス５００が１つの排気口から外部に放出されるので、ガス５００を十分に放出できる。また、ガス５００が十分に放出されるので、高温燃焼の発生を抑制できる。また、１つの空間内のガス５００が１つの排気口から外部に放出されるので、空間内への空気の流入を抑制できる。また、空間内への空気の流入が抑制されるので、高温燃焼の発生を抑制できる。
【００５２】
また、異なった集合体において正極２１２の向きが共通であるので、同一方向を向いた複数の蓄電池セル２１０を複数の集合体に分類できる。また、空間を第１空間と第２空間とに分割するので、空間が大きい場合に小さな第１空間と第２空間を形成できる。また、小さな第１空間と第２空間のそれぞれに対して１つの排気口を設けるので、ガス５００を十分に放出できる。また、小さな第１空間と第２空間のそれぞれに対して１つの排気口を設けるので、第１空間内と第２空間内への空気の流入を抑制できる。また、前面１１２は金属板であるので、ガス５００を冷却できる。
【００５３】
また、異なった集合体において正極２１２の向きが逆であるので、複数の蓄電池セル２１０の方向に応じて複数の集合体を形成できる。また、空間を第１空間と第２空間とに分割するので、蓄電池集合体２００を挟んで反対側に第１空間と第２空間を形成できる。また、第１空間と第２空間のそれぞれに対して１つの排気口を設けるので、ガス５００を十分に放出できる。また、第１空間と第２空間のそれぞれに対して１つの排気口を設けるので、第１空間内と第２空間内への空気の流入を抑制できる。また、前面１１２と後面１３２は金属板であるので、ガス５００を冷却できる。
【００５４】
本開示の一態様の概要は、次の通りである。本開示のある態様の組電池（３０００）は、互いに反対を向いた第１面（１１１０）と第２面（１１２０）とを有する第１蓄電池モジュール（１０００ａ）と、互いに反対を向いた第３面（１１３０）と第４面（１１４０）とを有する第２蓄電池モジュール（１０００ｂ）とを備える。第１面（１１１０）と第２面（１１２０）とに平行な投影面上において、第１面（１１１０）に配置される複数の第１排気口（１２１０）の位置と、第２面（１１２０）に配置される複数の第２排気口（１２２０）の位置とが異なり、第３面（１１３０）と第４面（１１４０）とに平行な投影面上において、第３面（１１３０）に配置される複数の第３排気口（１２３０）の位置と、第４面（１１４０）に配置される複数の第４排気口（１２４０）の位置とが異なり、第１面（１１１０）と第３面（１１３０）とを対応させる場合に、複数の第１排気口（１２１０）の位置と複数の第３排気口（１２３０）の位置とが共通であり、第２面（１１２０）と第４面（１１４０）とを対応させる場合に、複数の第２排気口（１２２０）の位置と、複数の第４排気口（１２４０）の位置とが共通であり、第２面（１１２０）と第３面（１１３０）とを対向させて、第１蓄電池モジュール（１０００ａ）と第２蓄電池モジュール（１０００ｂ）とが並べられる。
【００５５】
本開示の別の態様もまた、組電池（３０００）である。この組電池（３０００）は、互いに反対を向いた第１面（１１１０）と第２面（１１２０）とを有する第１蓄電池モジュール（１０００ａ）と、互いに反対を向いた第３面（１１３０）と第４面（１１４０）とを有する第２蓄電池モジュール（１０００ｂ）とを備える。第１面（１１１０）と第２面（１１２０）とに平行な投影面上において、第１面（１１１０）に配置される複数の第１排気口（１２１０）の位置と、第２面（１１２０）に配置される複数の第２排気口（１２２０）の位置とが異なり、第３面（１１３０）と第４面（１１４０）とに平行な投影面上において、第３面（１１３０）に配置される複数の第３排気口（１２３０）の位置と、第４面（１１４０）に配置される複数の第４排気口（１２４０）の位置とが異なり、第１面（１１１０）と第３面（１１３０）とを対応させる場合に、複数の第１排気口（１２１０）の位置と複数の第３排気口（１２３０）の位置とが共通であり、第２面（１１２０）と第４面（１１４０）とを対応させる場合に、複数の第２排気口（１２２０）の位置と、複数の第４排気口（１２４０）の位置とが共通であり、第２面（１１２０）と第４面（１１４０）とを対向させ、かつ第２面（１１２０）と第４面（１１４０）とに平行な投影面上において、第１蓄電池モジュール（１０００ａ）の向きと第２蓄電池モジュール（１０００ｂ）の向きとを変えて、第１蓄電池モジュール（１０００ａ）と第２蓄電池モジュール（１０００ｂ）とが並べられる。
【００５６】
複数の第１排気口（１２１０）は第１面（１１１０）の下側部分に配置され、複数の第２排気口（１２２０）は第２面（１１２０）の下側部分に配置され、複数の第３排気口（１２３０）は第３面（１１３０）の下側部分に配置され、複数の第４排気口（１２４０）は第４面（１１４０）の下側部分に配置される。
【００５７】
（実施例２）
次に、実施例２を説明する。実施例２は、実施例１と同様に、複数の蓄電池セルが収納される蓄電池モジュールが複数含まれる組電池に関する。実施例１において各蓄電池モジュールの排気口が下側部分にのみ配置されるが、実施例２では、各蓄電池モジュールの排気口が上側部分と下側部分に配置される。以下では、これまでとの差異を中心に説明する。
【００５８】
図１０（ａ）−（ｃ）は、蓄電池モジュール１５００の構造の概要を示す。図１０（ａ）−（ｃ）は、図７（ａ）−（ｃ）のように示される。図１０（ａ）は、蓄電池モジュール１５００の前側からの概要を示し、図１０（ｂ）は、蓄電池モジュール１５００の右側からの概要を示し、図１０（ｃ）は、蓄電池モジュール１５００の後側からの概要を示す。蓄電池モジュール１５００は、蓄電池モジュール１０００と異なり、上側の段と下側の段において正極２１２と負極２１４の向きが異なる。また、上段の正極２１２の上側には上側排気口１５１０あるいは上側排気口１５２０が配置され、下段の正極２１２の下側には下側排気口１５１２あるいは下側排気口１５２２が配置される。さらに、蓄電池モジュール１５００の右側の端には、正極端子が設けられ、蓄電池モジュール１５００の左側の端には負極端子が設けられる。
【００５９】
図１１（ａ）−（ｃ）は、組電池３０００の構造を示す。図１１（ａ）は、組電池３０００の構造を示す斜視図である。図１１（ｂ）−（ｃ）は、組電池３０００の上面図であるが、図１１（ｂ）は組電池３０００の上側部分の構造を中心に示し、図１１（ｃ）は組電池３０００の下側の構造を中心に示す。組電池３０００は、第１蓄電池モジュール１５００ａ、第２蓄電池モジュール１５００ｂを含む。第１蓄電池モジュール１５００ａ、第２蓄電池モジュール１５００ｂは、前述の蓄電池モジュール１５００と同様の構造を有する。
【００６０】
第１蓄電池モジュール１５００ａは、互いに反対を向いた第１面１６１０と第２面１６２０とを有するとともに、第１面１６１０と第２面１６２０とに挟まれた上面１６５０と下面１６６０とを有する。第１面１６１０の上側部分には複数の第１上側排気口１７１０が配置され、第１面１６１０の下側部分には複数の第１下側排気口１７１２が配置される。第２面１６２０の上側部分には複数の第２上側排気口１７２０が配置され、第２面１６２０の下側部分には複数の第２下側排気口１７２２が配置される。複数の第１上側排気口１７１０は、図１０（ａ）の複数の上側排気口１５１０に対応し、複数の第１下側排気口１７１２は、図１０（ａ）の複数の下側排気口１５１２に対応する。複数の第２上側排気口１７２０は、図１０（ｃ）の複数の上側排気口１５２０に対応し、複数の第２下側排気口１７２２は、図１０（ｃ）の複数の下側排気口１５２２に対応する。ここで、第１面１６１０と第２面１６２０とに平行な投影面上、つまりｙ−ｚ平面上において、複数の第１上側排気口１７１０の位置と、複数の第２上側排気口１７２０の位置とは異なる。また、複数の第１下側排気口１７１２の位置と、複数の第２下側排気口１７２２の位置も異なる。
【００６１】
第２蓄電池モジュール１５００ｂは、互いに反対を向いた第３面１６３０と第４面１６４０とを有するとともに、第３面１６３０と第４面１６４０とに挟まれた上面１６７０と下面１６８０とを有する。第３面１６３０の上側部分には複数の第３上側排気口１７３０が配置され、第３面１６３０の下側部分には複数の第３下側排気口１７３２が配置される。第４面１６４０の上側部分には複数の第４上側排気口１７４０が配置され、第４面１６４０の下側部分には複数の第４下側排気口１７４２が配置される。複数の第３上側排気口１７３０は、図１０（ａ）の複数の上側排気口１５１０に対応し、複数の第３下側排気口１７３２は、図１０（ａ）の複数の下側排気口１５１２に対応する。複数の第４上側排気口１７４０は、図１０（ｃ）の複数の上側排気口１５２０に対応し、複数の第４下側排気口１７４２は、図１０（ｃ）の複数の下側排気口１５２２に対応する。ここで、第３面１６３０と第４面１６４０とに平行な投影面上、つまりｙ−ｚ平面上において、複数の第３上側排気口１７３０の位置と、複数の第４上側排気口１７４０の位置とは異なる。また、複数の第３下側排気口１７３２の位置と、複数の第４下側排気口１７４２の位置も異なる。
【００６２】
第１面１６１０と第３面１６３０とを対応させる場合に、複数の第１上側排気口１７１０の位置と複数の第３上側排気口１７３０の位置とが共通である。また、複数の第１下側排気口１７１２の位置と複数の第３下側排気口１７３２の位置も共通である。第２面１６２０と第４面１６４０とを対応させる場合に、複数の第２上側排気口１７２０の位置と複数の第４上側排気口１７４０の位置とが共通である。複数の第２下側排気口１７２２の位置と、複数の第４下側排気口１７４２の位置も共通である。ここでは、第２面１６２０と第３面１６３０とを対向させて、第１蓄電池モジュール１５００ａと第２蓄電池モジュール１５００ｂとが並べられる。このように並べられることによって、第１蓄電池モジュール１５００ａの正極端子１５５０と第２蓄電池モジュール１５００ｂの正極端子１５６０とが同一方向を向く。また、第１蓄電池モジュール１５００ａの負極端子１５５２と第２蓄電池モジュール１５００ｂの負極端子１５６２も同一方向を向く。ここで、正極端子１５５０と正極端子１５６０とを電気的に接続し、負極端子１５５２と負極端子１５６２とを電気的に接続することによって、第１蓄電池モジュール１５００ａと第２蓄電池モジュール１５００ｂとは並列に接続される。また、第２面１６２０における第２上側排気口１７２０と、第３面１６３０における第３上側排気口１７３０は対向せずに配置される。第２面１６２０における第２下側排気口１７２２と、第３面１６３０における第３下側排気口１７３２も対向せずに配置される。
【００６３】
図１２（ａ）−（ｆ）は、組電池３０００の別の構造を示す。図１２（ａ）は、組電池３０００の構造を示す斜視図である。図１２（ｂ）−（ｃ）は、組電池３０００の上面図であるが、図１２（ｂ）は組電池３０００の上側部分の構造を中心に示し、図１２（ｃ）は組電池３０００の下側の構造を中心に示す。組電池３０００に含まれる第１蓄電池モジュール１５００ａと第２蓄電池モジュール１５００ｂの構造は、図１０（ａ）−（ｃ）と同一であるが、これらの配置が図１１（ａ）−（ｃ）とは異なる。第１蓄電池モジュール１５００ａは、図１１（ａ）と同様に配置されるが、第２蓄電池モジュール１５００ｂは、第４面１６４０を第２面１６２０に対向させ、かつ下面１６８０を上側に向け、かつ上面１６７０を下側に向けて配置される。このように第２蓄電池モジュール１５００ｂは、図１１（ａ）での配置に対して、ｘ−ｙ平面内で反転させられるとともに、上下反転させられる。その結果、第１蓄電池モジュール１５００ａと第２蓄電池モジュール１５００ｂは、第２面１６２０と第４面１６４０とに平行な投影面上において、互いの向きを変えて並べられる。
【００６４】
このように並べられることによって、第１蓄電池モジュール１５００ａの正極端子１５５０と第２蓄電池モジュール１５００ｂの負極端子１５６２とが同一方向を向く。また、第１蓄電池モジュール１５００ａの負極端子１５５２と第２蓄電池モジュール１５００ｂの正極端子１５６０も同一方向を向く。ここで、負極端子１５５２と正極端子１５６０とを電気的に接続することによって、第１蓄電池モジュール１５００ａと第２蓄電池モジュール１５００ｂとは直列に接続される。
【００６５】
第１上側排気口１７１０と第２上側排気口１７２０が第１蓄電池モジュール１５００ａの上側部分に配置されるとともに、第４下側排気口１７４２と第３下側排気口１７３２が第２蓄電池モジュール１５００ｂの上側部分に配置される。そのため、第２上側排気口１７２０と第４下側排気口１７４２とが対向しなくなり、第４下側排気口１７４２から排出されたガスが第２上側排気口１７２０に直接流入されなくなる。
【００６６】
第１下側排気口１７１２と第２下側排気口１７２２は、第１蓄電池モジュール１５００ａの下側部分に配置されるとともに、第３上側排気口１７３０と第４上側排気口１７４０は、第２蓄電池モジュール１５００ｂの下側部分に配置される。そのため、第２下側排気口１７２２と第４上側排気口１７４０とが対向しなくなり、第４上側排気口１７４０から排出されたガスが第２下側排気口１７２２に直接流入されなくなる。
【００６７】
図１２（ｃ）−（ｄ）は、図１２（ａ）−（ｂ）の比較対象となる組電池４０００であり、図１２（ａ）−（ｂ）と同様に示される。組電池４０００は、図９（ａ）−（ｂ）と同一の第１蓄電池モジュール１５００ａと第２蓄電池モジュール１５００ｂとを含むが、これらの配置が図１２（ａ）−（ｂ）と異なる。第２蓄電池モジュール１５００ｂは、第４面１６４０を第２面１６２０に対向させ、かつ上面１６７０を上側に向け、かつ下面１６８０を下側に向けて配置される。このように第２蓄電池モジュール１５００ｂは、図１１（ａ）での配置に対して、ｘ−ｙ平面内で反転させられるが、上下反転させられない。このように並べられることによって、第２上側排気口１７２０と第４上側排気口１７４０とが対向するので、第４上側排気口１７４０から排出されたガスが第２上側排気口１７２０に直接流入される。また、第２下側排気口１７２２と第４下側排気口１７４２とが対向するので、第４下側排気口１７４２から排出されたガスが第２下側排気口１７２２に直接流入される。そのため、このような配置は好ましくない。
【００６８】
本実施例によれば、第２排気口（１７２０、１７２２）の位置とが第３排気口（１７３０、１７３２）の位置とが異なる場合に、第２面１６２０と第３面１６３０とを対向させるので、第２蓄電池モジュール１５００ｂから排出されたガスによって第１蓄電池モジュール１５００ａが受ける影響を低減できる。また、第２排気口（１７２０、１７２２）の位置と第４排気口（１７４０、１７４２）の位置が共通であっても、第１蓄電池モジュール１５００ａの向きと第２蓄電池モジュール１５００ｂの向きとを変えるので、第２蓄電池モジュール１５００ｂから排出されたガスによって第１蓄電池モジュール１５００ａが受ける影響を低減できる。また、第１排気口（１７１０、１７１２）から第４排気口（１７４０、１７４２）は各面の上側部分と下側部分に配置されるので、ガスを効率的に排出できる。
【００６９】
本開示の一態様の概要は、次の通りである。本開示の一態様の概要は、次の通りである。本開示のある態様の組電池（３０００）は、互いに反対を向いた第１面（１６１０）と第２面（１６２０）とを有する第１蓄電池モジュール（１５００ａ）と、互いに反対を向いた第３面（１６３０）と第４面（１６４０）とを有する第２蓄電池モジュール（１５００ｂ）とを備える。第１面（１６１０）と第２面（１６２０）とに平行な投影面上において、第１面（１６１０）に配置される複数の第１排気口（１７１０、１７１２）の位置と、第２面（１６２０）に配置される複数の第２排気口（１７２０、１７２２）の位置とが異なり、第３面（１６３０）と第４面（１６４０）とに平行な投影面上において、第３面（１６３０）に配置される複数の第３排気口（１７３０、１７３２）の位置と、第４面（１６４０）に配置される複数の第４排気口（１７４０、１７４２）の位置とが異なり、第１面（１６１０）と第３面（１６３０）とを対応させる場合に、複数の第１排気口（１７１０、１７１２）の位置と複数の第３排気口（１７３０、１７３２）の位置とが共通であり、第２面（１６２０）と第４面（１６４０）とを対応させる場合に、複数の第２排気口（１７２０、１７２２）の位置と、複数の第４排気口（１７４０、１７４２）の位置とが共通であり、第２面（１６２０）と第３面（１６３０）とを対向させて、第１蓄電池モジュール（１５００ａ）と第２蓄電池モジュール（１５００ｂ）とが並べられる。
【００７０】
本開示の別の態様もまた、組電池（３０００）である。この組電池（３０００）は、互いに反対を向いた第１面（１６１０）と第２面（１６２０）とを有する第１蓄電池モジュール（１５００ａ）と、互いに反対を向いた第３面（１６３０）と第４面（１６４０）とを有する第２蓄電池モジュール（１５００ｂ）とを備える。第１面（１６１０）と第２面（１６２０）とに平行な投影面上において、第１面（１６１０）に配置される複数の第１排気口（１７１０、１７１２）の位置と、第２面（１６２０）に配置される複数の第２排気口（１７２０、１７２２）の位置とが異なり、第３面（１６３０）と第４面（１６４０）とに平行な投影面上において、第３面（１６３０）に配置される複数の第３排気口（１７３０、１７３２）の位置と、第４面（１６４０）に配置される複数の第４排気口（１７４０、１７４２）の位置とが異なり、第１面（１６１０）と第３面（１６３０）とを対応させる場合に、複数の第１排気口（１７１０、１７１２）の位置と複数の第３排気口（１７３０、１７３２）の位置とが共通であり、第２面（１６２０）と第４面（１６４０）とを対応させる場合に、複数の第２排気口（１７２０、１７２２）の位置と、複数の第４排気口（１７４０、１７４２）の位置とが共通であり、第２面（１６２０）と第４面（１６４０）とを対向させ、かつ第２面（１６２０）と第４面（１６４０）とに平行な投影面上において、第１蓄電池モジュール（１５００ａ）の向きと第２蓄電池モジュール（１５００ｂ）の向きとを変えて、第１蓄電池モジュール（１５００ａ）と第２蓄電池モジュール（１５００ｂ）とが並べられる。
【００７１】
複数の第１排気口（１７１０、１７１２）は第１面（１６１０）の上側部分と下側部分に配置され、複数の第２排気口（１７２０、１７２２）は第２面（１６２０）の上側部分と下側部分に配置され、複数の第３排気口（１７３０、１７３２）は第３面（１６３０）の上側部分と下側部分に配置され、複数の第４排気口（１７４０、１７４２）は第４面（１６４０）の上側部分と下側部分に配置される。
【００７２】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００７３】
実施例１および２において、組電池３０００に含まれる蓄電池モジュール１０００あるいは蓄電池モジュール１５００の数は「２」であるとされる。しかしながらこれに限らず例えば、組電池３０００に含まれる蓄電池モジュール１０００あるいは蓄電池モジュール１５００の数は「３」以上であってもよい。その際、実施例１および２における配置の規則性にしたがって、蓄電池モジュール１０００あるいは蓄電池モジュール１５００が並べられればよい。本変形例によれば、構成の自由度を向上できる。
【００７４】
実施例１および２において、前空間４００と後空間４１０とが形成される。しかしながらこれに限らず例えば、前空間４００と後空間４１０の一方だけが形成されてもよい。本変形例によれば、すべての蓄電池セル２１０が同一方向を向いて配置されている場合に、配置に適した空間を形成できる。
【００７５】
実施例１および２において、複数の前空間４００が並べられる。しかしながらこれに限らず例えば、前空間４００の数は１つでもよい。本変形例によれば、前空間４００のサイズが小さい場合に構造を簡易にできる。また、後空間４１０についても同様である。
【００７６】
実施例１および２において、前側隔壁２４２、後側隔壁２５２は、樹脂等により形成されている。しかしながらこれに限らず例えば、樹脂等により形成された前側隔壁２４２、後側隔壁２５２は、前空間４００あるいは後空間４１０側から金属板等によって補強されてもよい。本変形例によれば、発生したガス５００の圧力が高くなっても、前側隔壁２４２、後側隔壁２５２を破損しにくくできる。
【符号の説明】
【００７７】
１０００  蓄電池モジュール、  １１１０  第１面、  １１２０  第２面、  １１３０  第３面、  １１４０  第４面、  １１５０  上面、  １１６０  下面、  １１７０  上面、  １１８０  下面、  １２１０  第１排気口、  １２２０  第２排気口、  １２３０  第３排気口、  １２４０  第４排気口、  ３０００  組電池。
【図１】
2020155226.tif 000003
【図２】
2020155226.tif 000004
【図３】
2020155226.tif 000005
【図４】
2020155226.tif 000006
【図５】
2020155226.tif 000007
【図６】
2020155226.tif 000008
【図７】
2020155226.tif 000009
【図８】
2020155226.tif 000010
【図９】
2020155226.tif 000011
【図１０】
2020155226.tif 000012
【図１１】
2020155226.tif 000013
【図１２】
2020155226.tif 000014